(57)【要約】【課題】  製造部品を低減でき、製造効率に優れた電池装置を提供する。【解決手段】  電池装置は、それぞれ電極を有した複数の電池セルと、導体で形成され、電池セルの電極同士を接続した板状の複数のバスバー２とを備えている。複数の電池セルの中、電極同士が接続される２つの電池セルにおいて、バスバー２は、一方の電池セルに固設され、他方の電池セルに接続部により取付けられ、両電池セルの電極同士を接続している。【選択図】      図１
2009231144.tif 000002
【特許請求の範囲】
【請求項１】
それぞれ電極を有した複数の電池セルと、
導体で形成され、前記電池セルの電極同士を接続した板状の複数のバスバーと、を備え、
前記複数の電池セルの中、電極同士が接続される２つの電池セルにおいて、前記バスバーは、一方の電池セルに固設され、他方の電池セルに接続部により取付けられ、両電池セルの電極同士を接続している電池装置。
【請求項２】
それぞれ電極を有した電池セル及び前記電極を露出させて前記電池セルを収容したケースを有した複数の電池と、
導体で形成され、前記電池の電極同士を接続した板状の複数のバスバーと、を備え、
前記複数の電池の中、電極同士が接続される２つの電池において、前記バスバーは、一方の電池のケースに固設され、他方の電池のケースに接続部により取付けられ、両電池の電極同士を接続している電池装置。
【請求項３】
前記接続部はネジであり、
前記バスバーは、ネジ穴を有し、他方の電池のケースにネジ止めされている請求項２に記載の電池装置。
【発明の詳細な説明】
【技術分野】
【０００１】
この発明は、電池装置に関し、特に複数の二次電池で形成された電池装置に関する。
【背景技術】
【０００２】
近年、リチウムイオン二次電池等の二次電池を複数含んだ電池装置は、高電圧、高エネルギー密度を有することから、電気自動車等の電源として注目されている（例えば、特許文献１、２参照）。二次電池は、充放電可能な電池セルと、電池セルを収容したケースとを有している。電池装置は、電圧を増やすため、複数の二次電池を用い、これらを直列に接続して形成されている。
【特許文献１】特許第３０１４２９３号公報
【特許文献２】特許第３３５０１８９号公報
【発明の開示】
【発明が解決しようとする課題】
【０００３】
隣合う２つの二次電池を接続するため、穴部を有したバスバーが用いられる。バスバーは、２つの二次電池にそれぞれボルトを用いて取付けられている。バスバーにより、二次電池は接続されている。しかしながら、上記した場合、一個所の接続に２つのボルトを必要とし、また、ボルトを用いて取付ける分の製造時間がかかってしまうことになる。  
この発明は以上の点に鑑みなされたもので、その目的は、製造部品を低減でき、製造効率に優れた電池装置を提供することにある。
【課題を解決するための手段】
【０００４】
上記課題を解決するため、本発明の態様に係る電池装置は、
それぞれ電極を有した複数の電池セルと、
導体で形成され、前記電池セルの電極同士を接続した板状の複数のバスバーと、を備え、
前記複数の電池セルの中、電極同士が接続される２つの電池セルにおいて、前記バスバーは、一方の電池セルに固設され、他方の電池セルに接続部により取付けられ、両電池セルの電極同士を接続している。
【発明の効果】
【０００５】
この発明によれば、製造部品を低減でき、製造効率に優れた電池装置を提供することができる。
【発明を実施するための最良の形態】
【０００６】
以下、図面を参照しながらこの発明の実施の形態に係る電池装置について詳細に説明する。  
図１乃至図６に示すように、電池装置は、複数の電池１で形成されている。ここでは、複数の電池１は二次電池である。電池１は、扁平な矩形状である。電池１は、電極を有した電池セル１０と、電極を露出させて電池セルを収容したケース２０とを有している。
【０００７】
電池セル１０は、扁平な矩形状である。電池セル１０は、電極として、外面に突出して形成された正極１１及び負極１２を有している。電池セル１０は、扁平な矩形状のアルミニウム筐体の内部に非水電解液を密封して形成されている。  
ケース２０は、扁平な矩形状である。ケース２０は、正極１１及び負極１２を露出させている。電池１は、正極１１及び負極１２を介して充電及び放電されるものである。
【０００８】
複数の電池１は、一列に並べられている。電池１は、互いに隣合って設けられている。電池１の電極同士はバスバー２で接続されている。この実施の形態において、電池１は直列に接続されている。このため、バスバー２は、一方の電池１の負極１２と、他方の電池１の正極１１とを接続している。バスバー２は、板状であり、導体で形成されている。バスバー２は、ネジ穴２ａを有している。ここでは、バスバー２は、折れ曲ってＬ字型に形成されているが、形状に限定されるものではなく、種々変形可能である。
【０００９】
複数の電池１の中、電極同士が接続される２つの電池１において、バスバー２は、一方の電池１のケース２０に固設され、他方の電池１のケース２０に接続部としてのネジ３によりネジ止めされ、両電池の電極同士を接続している。この実施の形態において、バスバー２は、隣接した２つの電池１の電極同士を接続している。
【００１０】
なお、図６において、（ａ）はバスバー２が固設された電池１を示す正面図であり、（ｂ）は上記電池を示す上面図であり、（ｃ）は上記電池を示す側面図であり、（ｄ）は上記電池を示す他の側面図である。
【００１１】
以上のように構成された電池装置によれば、電池装置は、複数の電池１と、電池１の電極同士を接続した複数のバスバー２とを備えている。電極同士が接続される２つの電池１において、バスバー２は、一方の電池１のケース２０に固設され、他方の電池１のケース２０に接続部としてのネジ３により取付けられ、両電池の電極同士を接続している。
【００１２】
２つの電池１の接続に１つのネジ３のみ用いるだけで、２つの電池１をバスバー２で接続することができる。上記電池装置は、２つのネジ３を必要としないため、２つのネジ３を必要とする場合に比べ、ネジ３といった製造部品を半分に削減でき、ネジ止めに要する時間を半分に削減することができる。このため、組立作業性を向上させることができる。さらに、製造コストの低減を図ることができる。  
上記したことから、製造部品を低減でき、製造効率に優れた電池装置を得ることができる。
【００１３】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。
【００１４】
例えば、電池装置は、ケース２０無しに、複数の電池セル１０で形成されていても良い。電池セル１０は互いに間隔を置いて位置している。この場合、電池装置は、それぞれ電極を有した複数の電池セル１０と、電池セルの電極同士を接続した複数のバスバー２とを備えている。そして、複数の電池セル１０の中、電極同士が接続される２つの電池セル１０において、バスバー２は、一方の電池セル１０に固設され、他方の電池セル１０に接続部としてのネジ３により取付けられ、両電池セルの電極同士を接続していれば上述した効果を得ることができる。
【００１５】
電池装置の容量を増やすため、電池１は並列に接続されていても良く、バスバー２による２つの電池１の正極１１同士の接続や、負極１２同士の接続を妨げるものではない。また、電池１並列に接続する際、１つのバスバー２による３つ以上の電池１の接続を妨げるものではない。この場合、バスバー２に２つ以上のネジ穴２ａを設ければ良く、電極同士が接続される３つ以上の電池１において、バスバー２は、１つの電池１のケース２０に固設され、残りの複数の電池１のケース２０にネジ止めされていれば良い。
【００１６】
バスバー２は、隣合う電池１同士の接続に限定して用いられるものではなく、複数の電池１の中の何れか２つ以上の電池１同士の接続に用いられるものであれば良い。接続部は、ネジ３に限定されるものではなく、種々変形可能であり、例えば、ボルトであっても良い。
【図面の簡単な説明】
【００１７】
【図１】本発明の実施の形態に係る電池装置を示す斜視図。
【図２】図１に示した電池装置を示す上面図。
【図３】図１及び図２に示した電池装置を示す側面図。
【図４】上記電池装置の電池を１つ取出して示す斜視図。
【図５】上記電池装置の電池の電池セルを示す斜視図。
【図６】図４に示した電池を示す他の図。
【符号の説明】
【００１８】
１…電池、２…バスバー、２ａ…ネジ穴、３…ネジ、１０…電池セル、１１…正極、１２…負極、２０…ケース。
【図１】
2009231144.tif 000003
【図２】
2009231144.tif 000004
【図３】
2009231144.tif 000005
【図４】
2009231144.tif 000006
【図５】
2009231144.tif 000007
【図６】
2009231144.tif 000008